(57)【要約】      （修正有）【課題】液滴を噴霧するためのチップに設けられた装置であって、流れを制御し、エアロゾルの散布および形成を提供する装置に係り、とりわけ、人間の流行病を伝染させる現状の媒介昆虫の防除を目的とし、液体を噴霧／霧化するための動力バックパック機器への組立のために製造される装置を提供する。【解決手段】ノズル本体１の内側部分であって中央領域にチップ１１を有し、チップ１１は、ベンチュリータイプの幾何形状からなり、空気流の通路に圧縮のエリアを構成し、円筒状ケーシング５および第２の低圧チャンバー１２に連結され、チップ１１の幾何形状は、空気流の速度の増大と、結果としての圧力の低減をもたらし、これにより、空気流がチップ１１を通る際、液体の吸引と、表面張力の破壊による液滴の形成とをもたらす。【選択図】図２
0003166250.tif 000002
【実用新案登録請求の範囲】
【請求項１】
液滴を噴霧するチップに設けられた装置において、
後方端部（２）に設けられた円形主部（３）と、当該円形主部（３）の周囲に締結されるクランプ（４）と、を有する本体（１）を備え、
円形主部（３）は、動力バックパック機器のような噴霧器の空気流排出管に適合して連結され、
クランプ（４）は、噴霧器の排出管に本体（１）を固定させ、
ねじが形成された上方端部（６）を含む円筒状ケーシング（５）が、本体（１）から垂直に突出し、当該ケーシング（５）が、その内側部分にパッド（７）を受け入れ、当該パッド（７）は、調整された直径を有する中央穴を含み、当該中央穴を通って、噴霧器ノズルによって適用される流体が放出され、
当該パッド（７）は、当該ケーシング（５）の上方端部（６）にねじ込まれ得るパッドホルダー（８）によって、ケーシング（５）の内側部分に配置されて保持され、
パッド（７）およびパッドホルダー（８）からなるセットが、流れを制限するための装置を構成し、このセットが、交換可能であって、対応する所望の流れに応じて色によって識別され、
ねじが形成された内側部分を含む第２のケーシング（９）が、ケーシング（５）から水平に突出し、当該内側部分は、交換可能なフィルター（１０）を収容し、当該フィルター（１０）は、異なったタイプのメッシュからなり、チップによって噴霧される流体を受け入れ、
ノズルの本体（１）は、その内側部分であって中央領域にチップ（１１）を有し、当該チップ（１１）は、ベンチュリータイプの幾何形状からなり、空気流の通路に圧縮のエリアを構成して、円筒状ケーシング（５）に連結され、
チップ（１１）の幾何形状は、空気流の速度の増大と、結果としての圧力の低減をもたらし、これにより、空気流が当該チップ（１１）を通る際、液体の吸引と、表面張力の破壊による液滴の形成とをもたらし、
チップ（１１）は、第２低圧チャンバー（１２）に連結され、当該第２低圧チャンバー（１２）において、低圧で高速の空気流のもとで、液体の衝突によって、空気で、液滴の再分割が発生し、これにより、噴霧がもたらされ、
本体（１）は、前方端部（１３）に、チップの保護体として作用し、第２低圧チャンバー（１２）を囲む成型された円筒状延長部（１４）を有していることを特徴とする装置。
【考案の詳細な説明】
【技術分野】
【０００１】
本考案は、液滴を噴霧するチップに設けられた装置であって、流れを制御し、エアロゾル（aerosol）として考えられるサイズの範囲内（＜５０μｍ）の噴霧液滴の散布および形成を提供する装置に係り、とりわけ、人間の流行病を伝染させる現状の媒介昆虫の防除を目的とし、液体を噴霧／霧化するための動力バックパック機器（powered backpack equipment）への組立のために製造され、動力車が到達することができない閉ざされたアクセス困難なエリアに適用できる装置に関する。
【０００２】
本考案は、内側部分であってノズルの中央部分における圧縮によって、低い圧力で、液体の吸引と、気流に接触して液体の表面張力の破壊による液滴の形成とを可能にすることを特徴としている。
【背景技術】
【０００３】
従来より、スプレーチップとノズルとを含むいくつかの装置が知られている。
【０００４】
人間の病気と伝染させる媒介昆虫の防除は、公衆衛生の点で基本的に必要なことである。これらの昆虫の異常発生の可能性がある場合、すばやく適用でき、経済的な方法で、防除効率を向上させ、迅速に利用可能な防除方法が必要とされている。
【０００５】
液滴の形状で放出される液体を適用する化学的防除が、これらの昆虫を抑えるために最も使用される方法の一つである。この方法の範囲内において、噴霧液滴の最適サイズの決定と、特別なターゲットのための狭いサイズ範囲内の液滴を生成する機器の使用とにより、殺虫剤の生物学的効率が増大し、必要とされる化学物質の量が低減する。このことにより、環境汚染が最小限に抑えられる。
【０００６】
手動式または動力式に関わらず、空中と同様に陸上においても、噴霧機器の構成部品のうち、噴霧チップは、主要な構成部品の一つである。なぜなら、適用されたソリューションの排出流の決定に役立ち、液体の放出の通路として、また、噴霧プロセスにおいて生成された液滴のサイズとして、重要であるからである。さまざまなタイプのチップがあり、液体噴霧のために利用される主要なエネルギ源によって分類されている。液体が加圧下で噴霧される場合には、油圧式であってもよく、液体がガスまたは蒸気の作用によって噴霧される場合には空気圧式であってもよく、あるいは、その他にも、旋回機構のエネルギを使用する場合には遠心分離式であってもよい。
【０００７】
現在、液滴を生成するための空気圧式の方法を利用する多種多様な噴霧チップが知られている。しかしながら、例えば、液滴の形成のために適切な空気流を生成しなければならないバックパック噴霧器で一般的なファンまたは空気ブロワーなどの噴霧機器の他の構成部品との適切な調和と寸法との点で、構造的な欠陥により、エアロゾルの形態（＜５０μｍ）を実現しているのは少しだけである。
【０００８】
病気（例えば、デング熱、マラリア、横熱病など）を伝染させる昆虫の大量発生を防除するために公衆衛生で使用される空気圧式バックパック噴霧器は、液滴が所定期間懸濁液の状態に維持される、極微量（ＵＬＶ）および微量（ＬＶ）でのエアロゾルの形態の殺虫剤の適用を必要とする。このことにより、昆虫は、このような液滴に接触してこれを吸収する。なぜなら、これらの昆虫のサイズが小さいことから、大きな液滴は昆虫に吸収されないからである。このため、エアロゾルサイズの範囲内にある液滴は、適用の生物学的効率に直接的な影響を有している。
【０００９】
市場には、液滴の形態に液体を分裂させるためのガスまたは空気流を生成して、排出管の端部から放出するコンプレッサー、ファン、あるいは回転式ブロワーを利用するいくつかの動力バックパック噴霧器がある。動力バックパック噴霧器は、水平に９から１２メートル、垂直に６から９メートル、噴霧される液体を飛ばす。しかしながら、エンジンやファンの大きさ、構造的効率により、個々の機械の能力は異なる。
【００１０】
噴霧チップは、この構造の効率のキーポイントとなっている。市場において存在する多くの噴霧チップは、飛んでいる媒介昆虫（＜５０μｍ）の防除という点で、空間の処置での適切な範囲内で、液滴サイズの範囲における均一性の向上が欠けているという欠点を有している。また、この均一性を特徴とするタイプのチップは、回転するタイプ（回転するディスク）の噴霧器であって、一般的に液滴の限定された分散を示し、これにより、例えば、建造的に公衆衛生の適用で一般的な状況のように、アクセスが困難な場所へ到達させようとする場合に、その効率の妨げとなる。
【００１１】
他の噴霧器も、同様に、従来技術によって知られている。通常、液滴への空気の作用である噴霧の偏流を低減することを目的として、液体を噴霧するために、空気の誘導によって、空気の流路を圧縮するための方法が使用されている。これらの知られている多くのメカニズムは、本考案の対象とは異なり、１５０ミクロン以上のサイズの液滴を使用している。
【００１２】
他のメカニズムは、ベンチュリータイプのノズルを使用している。しかしながら、他のもののうち、作物保護製品、殺虫剤などのような液滴を噴霧するために、それらは、複雑な構造を特徴とし、かなり多くの構成部品、管路、穴、を有し、アクセスおよびメンテナンスを困難にしている。
【考案の概要】
【００１３】
従来技術の不便さを解決するために、本考案は、液滴を噴霧するためのチップに設けられる装置を開示する。当該装置は、媒介昆虫の防除のために、その構造の結果として、液滴の適切な範囲を提供すること、および、噴霧の流れの十分な分散を有することによって改変されている。当該装置においては、ベンチュリータイプの構造が利用され、所定サイズの管の内部の高速の空気流が、この管の内部の低減されたサイズの穴に達する。この流路の圧縮により、その速度はかなり上昇し、これにより、この地点で圧力が低減され（低圧区域）、（この低圧区域の上方の液体のための入口を設けることにより）噴霧される液体の吸引を提供する。
【００１４】
高速空気流に低圧下で液体が落下することにより、液体の表面張力が破壊され、その結果、空気の適用のための適切な寸法（＜５０μｍ）の液体が形成される。
【００１５】
また、スプレーチップは、コンパクトな本体を有するという利点を持ち、水性または油性の製剤の液体の適用のために、動力バックパック機器の排出管に迅速に適合可能となっている。
【図面の簡単な説明】
【００１６】
【図１】図１は、本考案において、液滴を噴霧するためのチップの正面図である。
【図２】図２は、本考案において、噴霧チップの長手方向断面の斜視図である。
【考案を実施するための形態】
【００１７】
本考案の対象を、添付した図面に基づいて、より詳細に述べる。
【００１８】
図１および図２に示すように、本考案による装置は、後方端部（２）に設けられた円形主部（３）と、当該円形主部（３）の周囲に締結されるクランプ（４）と、を有する本体（１）を備えている。このうち、円形主部（３）は、動力バックパック機器のような噴霧器の空気流排出管に適合して連結されている。また、クランプ（４）は、噴霧器の排出管に本体（１）を固定させるようになっている。
【００１９】
ねじが形成された上方端部（６）を含む円筒状ケーシング（５）が、本体（１）から垂直に突出している。当該ケーシング（５）は、その内側部分にパッド（７）を受け入れている。当該パッド（７）は、調整された直径を有する中央穴を含み、噴霧器ノズルによって適用される流体が、当該中央穴を通って、放出されるようになっている。
【００２０】
当該パッド（７）は、当該ケーシング（５）の上方端部（６）にねじ込まれ得るパッドホルダー（８）によって、ケーシング（５）の内側部分に配置されて保持されている。
【００２１】
パッド（７）とパッドホルダー（８）とからなるセットが、流れを制限するための装置を構成し、必要に応じて、液体の適用を可能にしている。このセットは、交換可能であって、対応する所望の流れに応じて色によって識別されるようになっている。パッドホルダー（８）とパッド（７）とからなるセットの交換によってさまざまな流れの価値（value）が得られる。このシステムは、パッドホルダー（８）の色を見ることによって適用されている流れを特定するというオペレータの利点を有している。
【００２２】
ねじが形成された内側部分を含む第２のケーシング（９）が、ケーシング（５）から水平に突出している。当該内側部分は、交換可能なフィルター（１０）を収容し、当該フィルター（１０）は、異なったタイプのメッシュからなり得て、チップによって噴霧される流体を受け入れるようになっている。
【００２３】
ノズルの本体（１）は、その内側部分であって中央領域にチップ（１１）を有している。当該チップ（１１）は、ベンチュリータイプの幾何形状からなり、空気流の通路に圧縮のエリアを構成し、円筒状ケーシング（５）に連結されている。
【００２４】
チップ（１１）の幾何形状は、空気流の速度の増大と、結果としての圧力の低減をもたらす。このことにより、空気流が当該チップ（１１）を通る際、液体の吸引と、表面張力の破壊による液滴の形成とがもたらされる。
【００２５】
チップ（１１）は、第２低圧チャンバー（１２）に連結されている。当該第２低圧チャンバー（１２）において、低圧で高速の空気流のもとでの液体の衝突によって、空気で、液滴への再分割が発生する。このことにより、噴霧がもたらされ、５０μｍより小さいサイズの液滴の形成の効率を向上させることができる。
【００２６】
本体（１）は、前方端部（１３）に、チップの保護体として作用し、第２低圧チャンバー（１２）を囲む成型された円筒状延長部（１４）を有している。延長部（１４）の目的は、その構成部品へ起こり得る衝撃および衝突に対してチップを保護することである。
【図２】
0003166250.tif 000003
【図１】
0003166250.tif 000004